(57)【特許請求の範囲】
【請求項１】
ユーザ装置（ＵＥ）であって、
少なくとも１つの無線周波数（ＲＦ）トランシーバと、
少なくとも１つのＲＦアンテナと、
少なくとも一部分がハードウェアであるロジックであって、受信信号強度インジケータ（ＲＳＳＩ）を測定し、測定されたＲＳＳＩに基づいて基準信号受信品質（ＲＳＲＱ）測定値を決定し、二以上の確定されるＲＳＲＱ報告値が−３ｄＢを越えるＲＳＲＱ測定値に対応する拡張ＲＳＲＱ報告レンジを含むＲＳＲＱ測定報告マッピング方式により、前記ＲＳＲＱ測定値をＲＳＲＱ報告値にマッピングする、ロジックとを含む、
ユーザ装置。
【請求項２】
前記ＲＳＲＱ測定報告マッピング方式は、−３ｄＢを越え、２．５ｄＢ以下である可能性のある各ＲＳＲＱ測定値の、対応するＲＳＲＱ報告値を指定する、
請求項１に記載のユーザ装置。
【請求項３】
前記ＲＳＲＱ測定報告マッピング方式は、複数のＲＳＲＱ測定値サブレンジと複数のＲＳＲＱ報告値とを規定し、前記複数のＲＳＲＱ報告値の各々は、前記複数のＲＳＲＱ測定値サブレンジの１つに対応する、
請求項１に記載のユーザ装置。
【請求項４】
前記ＲＳＲＱ測定報告マッピング方式は、ＲＳＲＱ測定値を０．５ｄＢの解像度でＲＳＲＱ報告値にマッピングする、
請求項３に記載のユーザ装置。
【請求項５】
測定されたＲＳＳＩはサブフレームのＲＳＳＩを含み、決定されたＲＳＲＱ測定値は前記サブフレームのＲＳＲＱ測定値を含む、
請求項１に記載のユーザ装置。
【請求項６】
前記ロジックは前記サブフレーム中のすべてのＯＦＤＭシンボルにわたるＲＳＳＩを測定する、
請求項５に記載のユーザ装置。
【請求項７】
前記ロジックは測定帯域幅のＲＳＳＩを測定する、
請求項１に記載のユーザ装置。
【請求項８】
前記ロジックは、前記ＲＳＲＱ報告値を示す情報要素（ＩＥ）を含むＭｅａｓｕｒｅｍｅｎｔＲｅｐｏｒｔを送信する、
請求項１に記載のユーザ装置。
【請求項９】
少なくとも１つのメモリユニットと、
タッチスクリーンディスプレイとを含む、
請求項１ないし８いずれか一項に記載のユーザ装置。
【請求項１０】
ユーザ装置（ＵＥ）に、
測定された受信信号強度インジケータ（ＲＳＳＩ）に基づいて基準信号受信品質（ＲＳＲＱ）測定値を決定させ、
ＲＳＲＱ測定報告マッピング方式の複数のＲＳＲＱ測定値サブレンジから、前記ＲＳＲＱ測定値を含むＲＳＲＱ測定値サブレンジを特定させ、前記複数のＲＳＲＱ測定値サブレンジは−３ｄＢより大きいＲＳＲＱ測定値に対応する二以上のサブレンジを含み、前記ＲＳＲＱ測定報告マッピング方式は前記ＲＳＲＱ測定値サブレンジの、対応するＲＳＲＱ報告値を指定し、
特定されたＲＳＲＱ測定値サブレンジに対応するＲＳＲＱ報告値を特定させる、
コンピュータプログラム。
【請求項１１】
前記ＵＥに、特定されたＲＳＲＱ報告値を含む無線リソース制御（ＲＲＣ）報告メッセージを送信させる命令を含む、
請求項１０に記載のコンピュータプログラム。
【請求項１２】
前記ＲＳＲＱ測定報告マッピング方式は、０．５ｄＢの粒度で、前記複数のＲＳＲＱ測定値サブレンジを確定する、
請求項１０に記載のコンピュータプログラム。
【請求項１３】
前記ＲＳＲＱ測定報告マッピング方式は、拡張ＲＳＲＱ報告レンジを実装する、
請求項１０に記載のコンピュータプログラム。
【請求項１４】
前記複数のＲＳＲＱ測定値サブレンジは、−３ｄＢから２．５ｄＢまでのレンジのＲＳＲＱ測定値に集合的に対応するＲＳＲＱ測定値サブレンジを含む、
請求項１０に記載のコンピュータプログラム。
【請求項１５】
前記ＵＥに、前記ＲＳＳＩを測定するサブフレームの前記ＲＳＲＱ測定値を決定させる、
請求項１０に記載のコンピュータプログラム。
【請求項１６】
前記ＵＥに、前記サブフレームのすべてのＯＦＤＭシンボルにわたるＲＳＳＩを測定させる、
請求項１５に記載のコンピュータプログラム。
【請求項１７】
前記ＵＥに、前記ＲＳＳＩを測定する帯域幅の前記ＲＳＲＱ測定値を決定させる、請求項１０に記載のコンピュータプログラム。
【請求項１８】
少なくとも一部分がハードウェアであるロジックであって、サブフレームの受信信号強度インジケータ（ＲＳＳＩ）を測定し、前記サブフレームの測定されたＲＳＳＩに基づいて前記サブフレームの基準信号受信品質（ＲＳＲＱ）測定値を決定し、確定される二以上のＲＳＲＱ報告値が−３ｄＢから２．５ｄＢのレンジのＲＳＲＱ測定値に集合的に対応する拡張ＲＳＲＱ報告レンジを含むＲＳＲＱ測定報告マッピング方式に基づいて、前記ＲＳＲＱ測定値をＲＳＲＱ報告値にマッピングする、ロジックを含む、
装置。
【請求項１９】
前記ロジックは、ゼロトラフィック負荷に関連するリソース要素（ＲＥ）パワーアロケーションパターンにより、前記サブフレームのＲＳＳＩを測定する、
請求項１８に記載の装置。
【請求項２０】
前記ロジックは、前記ＲＳＲＱ報告値を含む情報要素（ＩＥ）を含む無線リソース制御（ＲＲＣ）メッセージを生成する、
請求項１８に記載の装置。
【請求項２１】
前記ＲＳＲＱ測定報告マッピング方式は、ＲＳＲＱ測定値を０．５ｄＢの粒度でＲＳＲＱ報告値にマッピングする、
請求項１８に記載の装置。
【請求項２２】
前記ロジックは、前記サブフレームのすべてのＯＦＤＭシンボルに渡り前記サブフレームのＲＳＳＩを測定する、
請求項１８に記載の装置。
【請求項２３】
前記ロジックは測定帯域幅のＲＳＳＩを測定する、
請求項１８に記載の装置。
【請求項２４】
前記ＲＳＲＱ測定報告マッピング方式は、複数のＲＳＲＱ測定値サブレンジと複数のＲＳＲＱ報告値とを規定し、前記複数のＲＳＲＱ報告値の各々は、前記複数のＲＳＲＱ測定値サブレンジの１つに対応する、
請求項１８に記載の装置。
【請求項２５】
前記ロジックは、前記ＲＳＲＱ測定値を含むＲＳＲＱ測定値サブレンジを特定し、特定されたＲＳＲＱ測定値サブレンジに対応するＲＳＲＱ報告値として前記ＲＳＲＱ報告値を特定する、
請求項２４に記載の装置。
【請求項２６】
ユーザ装置（ＵＥ）であって、
請求項１８ないし２５いずれか一項に記載の装置と、
一以上の無線周波数（ＲＦ）トランシーバと、
一以上のＲＦアンテナとを含む、
ユーザ装置。
【請求項２７】
タッチスクリーンディスプレイを含む、
請求項２６に記載のユーザ装置。
【請求項２８】
請求項１０ないし１７いずれか一項に記載のコンピュータプログラムを格納した少なくとも１つのコンピュータ読み取り可能記憶媒体。
【発明の詳細な説明】
【技術分野】
【０００１】
実施形態は概してブロードバンド無線通信ネットワークにおけるデバイス間の通信に関する。
【背景技術】
【０００２】
Ｅ−ＵＴＲＡＮ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  Ｔｅｒｒｅｓｔｒｉａｌ  Ｒａｄｉｏ  Ａｃｃｅｓｓ  Ｎｅｔｗｏｒｋ）などの無線通信ネットワークにおいて、ユーザ端末（ＵＥ）は、移動性管理手順を支援する様々なキャリア測定を行うことがある。ＵＥが行うかも知れないキャリア測定の一例は、基準信号受信品質（ＲＳＲＱ（ｒｅｆｅｒｅｎｃｅ  ｓｉｇｎａｌ  ｒｅｃｅｉｖｅｄ  ｑｕａｌｉｔｙ））である。ＲＳＲＱを測定するために、ＵＥは測定帯域幅のＲＳＳＩを測定し、そのＲＳＳＩ測定値に基づいてＲＳＲＱ測定値を決定することがある。ｅＮＢ（ｅｖｏｌｖｅｄ  ｎｏｄｅ  Ｂ）にＲＳＲＱ測定値を報告するために、ＵＥは、そのＲＳＲＱ測定値に対応するＲＳＲＱ報告値（ｒｅｐｏｒｔｉｎｇ  ｖａｌｕｅ）を特定し、ＲＳＲＱ報告値を含むメッセージをｅＮＢに送信する。
［関連出願］
本出願は、２０１４年５月９日出願の米国予備特許出願第６１／９９０，９１２号の優先権を主張するものである。上記出願の全体をここに参照援用する。
【図面の簡単な説明】
【０００３】
【図１】第１の動作環境の一実施形態を示す図である。
【図２】第２の動作環境の一実施形態を示す図である。
【図３】ＲＳＲＱ測定値報告マッピングテーブルの一実施形態を示す図である。
【図４】第１のロジックフローの一実施形態を示す図である。
【図５】第２のロジックフローの一実施形態を示す図である。
【図６】第３のロジックフローの一実施形態を示す図である。
【図７】記憶媒体の一実施形態を示す図である。
【図８】デバイスの一実施形態を示す図である。
【図９】無線ネットワークの一実施形態を示す図である。
【発明を実施するための形態】
【０００４】
様々な実施形態は概して、基準信号受信品質（ＲＳＲＱ（ｒｅｆｅｒｅｎｃｅ  ｓｉｇｎａｌ  ｒｅｃｅｉｖｅｄ  ｑｕａｌｉｔｙ））測定値の報告手法に関する。一実施形態では、例えば、ユーザ端末（ＵＥ）は、少なくとも１つの無線周波数（ＲＦ）トランシーバと、少なくとも１つのＲＦアンテナと、少なくとも一部はハードウェアであるロジックであって、前記ロジックは受信信号強度インジケータ（ＲＳＳＩ）を測定し、測定したＲＳＳＩに基づき基準信号受信品質（ＲＳＲＱ）測定値を決定し、一以上の確定されたＲＳＲＱ報告値が−３ｄＢを越えるＲＳＲＱ測定値に対応する拡張ＲＳＲＱ報告レンジを含むＲＳＲＱ測定報告マッピング方式により前記ＲＳＲＱ測定値をＲＳＲＱ報告値にマッピングする、ロジックを含み得る。他の実施形態は説明し請求項に記載する。
【０００５】
様々な実施形態は一以上の要素を含み得る。要素は、ある動作を実行するように構成された任意の構造を含み得る。各要素は、設計パラメータ又は性能上の制約のセットに応じて、ハードウェア、ソフトウェア、又はそれらの任意の組み合わせとして実装され得る。実施形態は、例として、あるトポロジーの、限定された数の要素を含むものを説明するが、実装において望ましければ、別のトポロジーの、より多い又は少ない要素を含むものであってもよい。留意すべき点として、「一実施形態」とは、その実施形態に関して説明する具体的なフィーチャ（ｆｅａｔｕｒｅ）、構造、特徴が少なくとも１つの実施形態に含まれることを意味している。本明細書ではいろいろな箇所で「一実施形態において」、「幾つかの実施形態において」、及び「様々な実施形態において」と記載するが、必ずしも同じ実施形態を指すものではない。
【０００６】
ここに開示する手法は、一以上の無線移動ブロードバンド技術を用いた一以上の無線接続でのデータの伝送を含み得る。例えば、様々な実施形態は、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（３ＧＰＰ  Ｌｏｎｇ  Ｔｅｒｍ  Ｅｖｏｌｕｔｉｏｎ）、及び／又はＬＴＥ−Ａ（３  ＧＰＰ  ＬＴＥ−  Ａｄｖａｎｃｅｄ）技術及び／又は標準（その改訂、子孫、及び変形を含む）による一以上の無線接続による伝送を含み得る。様々な実施形態は、一以上のＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）／ＨＳＰＡ（Ｈｉｇｈ  Ｓｐｅｅｄ  Ｐａｃｋｅｔ  Ａｃｃｅｓｓ）、及び／又はＧＳＭ／ＧＰＲＳ（ＧＳＭ  ｗｉｔｈ  Ｇｅｎｅｒａｌ  Ｐａｃｋｅｔ  Ｒａｄｉｏ  Ｓｅｒｖｉｃｅ  （ＧＰＲＳ）  ｓｙｓｔｅｍ）技術及び／又は標準（その改訂、子孫及び変形を含む）による伝送を追加的又は代替的に含んでもよい。
【０００７】
また、無線ブロードバンド技術及び／又は標準の例は、ＩＥＥＥ８０２．１６ｍ及び／又は８０２．１６ｐなどのＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６無線ブロードバンド標準、ＩＭＴ−ＡＤＶ（Ｉｎｔｅｒｎａｔｉｏｎａｌ  Ｍｏｂｉｌｅ  Ｔｅｌｅｃｏｍｍｕｎｉｃａｔｉｏｎｓ  Ａｄｖａｎｃｅｄ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）及びＷｉＭＡＸＩＩ、ＣＤＭＡ（Ｃｏｄｅ  Ｄｉｖｉｓｉｏｎ  Ｍｕｌｔｉｐｌｅ  Ａｃｃｅｓｓ）２０００（例えば、ＣＤＭＡ２０００  ｌｘＲＴＴ，  ＣＤＭＡ２０００  ＥＶ−ＤＯ，  ＣＤＭＡ  ＥＶ−ＤＶなど）、ＨＩＰＥＲＭＡＮ（Ｈｉｇｈ  Ｐｅｒｆｏｒｍａｎｃｅ  Ｒａｄｉｏ  Ｍｅｔｒｏｐｏｌｉｔａｎ  Ａｒｅａ  Ｎｅｔｗｏｒｋ）、ＷｉＢｒｏ（Ｗｉｒｅｌｅｓｓ  Ｂｒｏａｄｂａｎｄ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＯＰＡ（Ｈｉｇｈ  Ｓｐｅｅｄ  Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ  （ＯＦＤＭ）  Ｐａｃｋｅｔ  Ａｃｃｅｓｓ）、ＨＳＵＰＡ（Ｈｉｇｈ−Ｓｐｅｅｄ  Ｕｐｌｉｎｋ  Ｐａｃｋｅｔ  Ａｃｃｅｓｓ）技術及び／又は標準（これらの改訂、子孫及び変形を含む）のいずれを含んでもよいがこれに限定されるものではない。
【０００８】
幾つかの実施形態は、追加的に又は代替的に、他の無線通信技術及び／又は標準による無線通信を含み得る。様々な実施形態で用いることができる他の無線通信技術及び／又は標準の例は、例えば、ＩＥＥＥ８０２．１１、ＩＥＥＥ８０２．１１ａ、ＩＥＥＥ８０２．１１ｂ、ＩＥＥＥ８０２．１ｌｇ、ＩＥＥＥ８０２．１１ｎ、ＩＥＥＥ８０２．１ｌｕ、ＩＥＥＥ８０２．１１ａｃ、ＩＥＥＥ８０２．１１ａｄ、ＩＥＥＥ８０２．１１ａｆ、及び／又はＩＥＥＥ８０２．１１ａｈ標準などの他のＩＥＥＥ無線通信標準、ＩＥＥＥ８０２．１１  Ｈｉｇｈ  Ｅｆｆｉｃｉｅｎｃｙ  ＷＬＡＮ  （ＨＥＷ）  Ｓｔｕｄｙ  Ｇｒｏｕｐにより開発されたＨｉｇｈ−Ｅｆｆｉｃｉｅｎｃｙ  Ｗｉ−Ｆｉ標準、例えばＷｉ−Ｆｉ、Ｗｉ−Ｆｉ  Ｄｉｒｅｃｔ、Ｗｉ−Ｆｉ  Ｄｉｒｅｃｔ  Ｓｅｒｖｉｃｅｓ、Ｗｉｒｅｌｅｓｓ  Ｇｉｇａｂｉｔ  （ＷｉＧｉｇ）、ＷｉＧｉｇ  Ｄｉｓｐｌａｙ  Ｅｘｔｅｎｓｉｏｎ  （ＷＤＥ）、ＷｉＧｉｇ  Ｂｕｓ  Ｅｘｔｅｎｓｉｏｎ  （ＷＢＥ）、ＷｉＧｉｇ  Ｓｅｒｉａｌ  Ｅｘｔｅｎｓｉｏｎ  （ＷＳＥ）技術及び／又は標準などのＷＦＡ  Ｎｅｉｇｈｂｏｒ  Ａｗａｒｅｎｅｓｓ  Ｎｅｔｗｏｒｋｉｎｇ  （ＮＡＮ）  Ｔａｓｋ  Ｇｒｏｕｐにより開発されたＷＦＡ（Ｗｉ−Ｆｉ  Ａｌｌｉａｎｃｅ）無線通信標準、例えば３ＧＰＰ  Ｔｅｃｈｎｉｃａｌ  Ｒｅｐｏｒｔ  （ＴＲ）  ２３．８８７、３  ＧＰＰ  Ｔｅｃｈｎｉｃａｌ  Ｓｐｅｃｉｆｉｃａｔｉｏｎ  （ＴＳ）  ２２．３６８、及び／又は３  ＧＰＰ  ＴＳ  ２３．６８２で実施されたもののようなＭＴＣ（ｍａｃｈｉｎｅ−ｔｙｐｅ  ｃｏｍｍｕｎｉｃａｔｉｏｎｓ）標準、及び／又はＮＦＣ  Ｆｏｒｕｍにより開発された標準のようなＮＦＣ（ｎｅａｒ−ｆｉｅｌｄ  ｃｏｍｍｕｎｉｃａｔｉｏｎ）標準（これらの改訂、子孫及び／又は変形を含む）を含んでもよいが、これに限定されない。実施形態はこれらの例に限定されない。
【０００９】
一以上の無線接続による伝送に加えて、ここに開示の手法は、一以上の有線通信媒体を通じた一以上の有線接続によるコンテンツの伝送を含み得る。有線通信メディアの例としては、ワイヤ、ケーブル、金属リード、プリント回路基板（ＰＣＢ）、バックプレーン、スイッチファブリック（ｓｗｉｔｃｈ  ｆａｂｒｉｃ）、半導体材料、ツイストペア線、同軸ケーブル、ファイバオプティクスなどがある。実施形態はこれに限定されない。
【００１０】
図１は、様々な実施形態を表し得る動作環境１００の一例を示す。動作環境１００において、ＵＥ１０２はセル１０３にあり、これは一般的にｅＮＢ１０４によりサービスされる。幾つかの実施形態では、セル１０３は、Ｅ−ＵＴＲＡＮ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  Ｔｅｒｒｅｓｔｒｉａｌ  Ｒａｄｉｏ  Ａｃｃｅｓｓ  Ｎｅｔｗｏｒｋ）のセルを含んでもよい。様々な実施形態では、一般的動作において、ＵＥ１０２は、移動性管理手順のサポートする様々なキャリア測定を実行してもよい。幾つかの実施形態では、かかるキャリア測定はセル１０３で用いられるキャリアの測定を含んでもよい。様々な実施形態では、追加的に又は代替的に、かかるキャリア測定は、一以上の近隣セルで用いられるキャリアの測定を含んでもよい。幾つかの実施形態では、ＵＥ１０２は、ＲＲＣ＿ＩＤＬＥ状態で動作中にキャリア測定を実行してもよい。様々な実施形態では、ＵＥ１０２は、追加的に又は代替的に、ＲＲＣ＿ＣＯＮＮＥＣＴＥＤ状態で動作中にキャリア測定を実行してもよい。幾つかの実施形態では、ｅＮＢ１０４にキャリア測定を報告するため、ＵＥ１０２はキャリア測定情報１０６をｅＮＢ１０４に送信してもよい。実施形態はこれに限定されない。
【００１１】
様々な実施形態では、ＵＥ１０２は、一以上の基準信号受信品質（ＲＳＲＱ）測定を実行してもよい。幾つかの実施形態では、ＲＳＲＱ測定を実行するため、ＵＥ１０２は、測定帯域幅のＲＳＳＩを測定してもよく、測定したＲＳＳＩに基づいてＲＳＲＱ測定の結果を決定してもよい。様々な実施形態では、ＲＳＲＱ測定値をｅＮＢ１０４に報告するため、ＵＥ１０２は、ＲＳＲＱ測定値（ｍｅａｓｕｒｅｍｅｎｔ  ｖａｌｕｅ）をＲＳＲＱ報告値（ｒｅｐｏｒｔｉｎｇ  ｖａｌｕｅ）にマッピングしてもよく、ＲＳＲＱ測定値を含むキャリア測定情報１０６をｅＮＢ１０４に送信してもよい。幾つかの実施形態では、ＵＥ１０２は、ＲＳＲＱ測定値を、ＲＳＲＱ測定報告マッピング方式によってＲＳＲＱ報告値にマッピングしてもよい。様々な実施形態では、ＲＳＲＱ測定報告マッピング方式は、予想ＲＳＲＱ測定値のレンジ内のＲＳＲＱ測定値のマッピングを規定してもよい。幾つかの実施形態では、ＲＳＲＱ測定報告マッピング方式は、予測ＲＳＲＱ測定値のレンジ内の複数のＲＳＲＱ測定値サブレンジを規定してもよく、複数のＲＳＲＱ測定値サブレンジの各々の、対応するＲＳＲＱ報告値を指定してもよい。実施形態はこれに限定されない。
【００１２】
様々な実施形態では、ＵＥ１０２は、修正ＲＳＲＱ測定手順により一以上のＲＳＲＱ測定を実行してもよい。  様々な実施形態では、例えば、ＵＥ１０２は、３ＧＰＰ  Ｒｅｌｅａｓｅ１２で規定された修正ＲＳＲＱ測定手順により一以上のＲＳＲＱ測定を実行してもよい。様々な実施形態では、修正されたＲＳＲＱ測定手順によるＲＳＲＱ測定の実行に関して、ＵＥ１０２は、修正されたＲＳＳＩ測定手順によりＲＳＳＩを測定してもよい。幾つかの実施形態では、かかる修正ＲＳＳＩ測定手順により、ＵＥ１０２は、測定帯域幅のＲＳＳＩを、１つのサブフレームにおけるその測定帯域におけるすべてのＯＦＤＭシンボルにおける総受信パワーの線形平均を、そのサブフレームにおけるＯＦＤＭシンボルの数で割った値として測定してもよい。実施形態はこれに限定されない。
【００１３】
様々な実施形態では、修正ＲＳＲＱ測定手順により実行されたＲＳＲＱ測定の値は、レガシーＲＳＲＱ測定手順による可能なＲＳＲＱ測定値の期待レンジの外にあるかも知れない。かかる実施形態では、ＵＥ１０２は、レガシーＲＳＲＱ測定手順に基づき想定されるＲＳＲＱ測定値レンジ内のＲＳＲＱ測定値サブレンジを規定するだけのＲＳＲＱ測定報告マッピング方式によりＲＳＲＱ報告値を決定するように構成されている場合、幾つかのＲＳＲＱ測定値を所望の精度レベルで報告できないかも知れない。
【００１４】
ここに開示するものは、ＵＥがかかる修正ＲＳＲＱ測定手順により実行されるＲＳＲＱ測定を正確に報告できるようにするために、幾つかの実施形態で実装されてもよいＲＳＲＱ測定の報告手法である。様々な実施形態では、例えば、ＵＥは、３ＧＰＰ  Ｒｅｌｅａｓｅ１２で規定された修正ＲＳＲＱ測定手順により実行されるＲＳＲＱ測定を報告するために、開示のＲＳＲＱ測定の報告手法を実装できる。開示の手法により、幾つかの実施形態では、改良ＲＳＲＱ測定報告手順は、ＵＥが修正ＲＳＲＱ測定手順により実行したＲＳＲＱ測定を正確に報告できるようにするために実装されてもよい。様々な実施形態では、改良ＲＳＲＱ測定報告マッピング方式は、改良ＲＳＲＱ測定報告手順と共に実装されてもよい。幾つかの実施形態では、改良ＲＳＲＱ測定報告マッピング方式は、拡張されたＲＳＲＱ報告レンジを用いる（ｆｅａｔｕｒｅ）。様々な実施形態では、修正ＲＳＲＱ測定手順によるＲＳＲＱ測定を実行した後、ＵＥは、改良ＲＳＲＱ測定報告手順を実行し、それによりＲＳＲＱ測定値を、改良ＲＳＲＱ測定報告マッピング方式によりＲＳＲＱ報告値にマッピングしてもよい。幾つかの実施形態では、ＵＥは、修正ＲＳＲＱ測定手順により実行したＲＳＲＱ測定を報告するために、ＲＳＲＱ報告値を含むメッセージをｅＮＢに送信してもよい。実施形態はこれに限定されない。
【００１５】
図２は、開示のＲＳＲＱ測定の報告手法が実装されてもよい様々な実施形態を表す動作環境２００の一例を示す。動作環境２００では、ＵＥ１０２は、Ｅ−ＵＴＲＡＮなどの無線アクセスネットワークのセルで用いられる周波数キャリアを含む測定帯域幅のＲＳＳＩ測定値２０８を決定してもよい。幾つかの実施形態では、測定帯域幅は、ｅＮＢ１０４によりサービスされるセル（例えば、図１のセル１０３など）で用いられる周波数キャリアを含んでもよい。様々な実施形態では、測定帯域幅は、近隣セルで用いられる周波数キャリアを含んでもよい。幾つかの実施形態では、ＵＥ１０２は、ＲＳＳＩ測定２０８に基づくＲＳＲＱ測定値２１０を決定してもよい。
【００１６】
様々な実施形態では、ＵＥ１０２は、修正ＲＳＲＱ測定手順によりＲＳＲＱ測定値２１０を決定してもよい。様々な実施形態では、例えば、ＵＥ１０２は、３ＧＰＰ  Ｒｅｌｅａｓｅ１２で規定された修正ＲＳＲＱ測定手順によりＲＳＲＱ測定値２１０を決定してもよい。様々な実施形態では、修正されたＲＳＲＱ測定手順により決定されたＲＳＲＱ測定値２１０に関して、ＵＥ１０２は、修正されたＲＳＳＩ測定手順によりＲＳＳＩ測定２０８を決定してもよい。かかる幾つかの実施形態では、修正ＲＳＳＩ測定手順により、ＵＥ１０２は、測定帯域幅のＲＳＳＩ測定値２０８を、１つのサブフレームにおけるその測定帯域におけるすべてのＯＦＤＭシンボルにおける総受信パワーの線形平均を、そのサブフレームにおけるＯＦＤＭシンボルの数で割った値として測定してもよい。様々な実施形態では、修正ＲＳＲＱ測定手順により決定されたＲＳＲＱ測定値が、レガシーＲＳＲＱ測定手順による可能なＲＳＲＱ測定値の期待レンジの外にある可能性もある。例えば、幾つかの実施形態では、修正ＲＳＲＱ測定手順によりゼロトラフィック負荷環境で実行されたＲＳＲＱ測定は、レガシーＲＳＲＱ測定手順により想定される最高のＲＳＲＱ測定値を潜在的に大きく越えるかも知れない。実施形態はこの例に限定されない。
【００１７】
様々な実施形態では、ＵＥ１０２は、修正ＲＳＲＱ測定手順によりＲＳＲＱ測定を実行するが、レガシーＲＳＲＱ測定報告手順によりこれらの測定値を報告する場合、幾つかのＲＳＲＱ測定値を正確に報告できないかも知れない。例えば、幾つかの実施形態では、レガシーＲＳＲＱ測定報告手順は、−１９．５ｄＢから−３ｄＢまでのレンジのＲＳＲＱ測定を概して想定していてもよい。レガシーＲＳＲＱ測定報告手順は、想定レンジ内のＲＳＲＱ測定値を、その想定レンジ内でＲＳＲＱ測定値の正確な報告を可能とする粒度レベル（例えば、０．５ｄＢ）で、ＲＳＲＱ報告値にマッピングしてもよい。しかし、レガシーＲＳＲＱ測定報告手順は、−３ｄＢを越えるすべてのＲＳＲＱ測定値を、同じＲＳＲＱ報告値にマッピングするかも知れない。レガシーＲＳＲＱ測定手順が用いられる場合、−３ｄＢを越える任意のＲＳＲＱ測定値は、もしあれば、一般的に比較的小さな値だけ超えるだけであり、−３ｄＢに対応するＲＳＲＱ報告値はこれらの測定値の正確なインジケータとなる。他方、−３ｄＢを大きく越えるＲＳＲＱ測定値を生じる修正ＲＳＲＱ測定手順が用いられるとき、レガシーＲＳＲＱ測定報告手順により値が−３ｄＢに対応するＲＳＲＱ報告値にマッピングされるＲＳＲＱ報告値は、これらの測定値の正確なインジケータとはならない。実施形態はこの例に限定されない。
【００１８】
様々な実施形態では、修正ＲＳＲＱ測定報告手順により実行されたＲＳＲＱ測定値を正確に報告できるようにするため、ＵＥ１０２は、改良ＲＳＲＱ測定報告手順によりかかる測定値を報告するように構成されてもよい。幾つかの実施形態では、改良ＲＳＲＱ測定値報告手順は、改良ＲＳＲＱ測定報告マッピング方式を利用してもよい。様々な実施形態では、改良ＲＳＲＱ測定報告マッピング方式は、拡張されたＲＳＲＱ報告レンジを用いてもよい（ｆｅａｔｕｒｅ）。幾つかの実施形態では、拡張されたＲＳＲＱ報告レンジにより、改良ＲＳＲＱ測定報告マッピング方式は、レガシーマッピング方式により想定されたレンジの外にあるＲＳＲＱ測定値を、これらのＲＳＲＱ測定値の正確な報告を可能とする粒度レベル（ｌｅｖｅｌ  ｏｆ  ｇｒａｎｕｌａｒｉｔｙ）でＲＳＲＱ測定値にマッピングする。様々な実施形態では、例えば、改良ＲＳＲＱ測定報告マッピング方式は、かかるＲＳＲＱ測定値を、０．５ｄＢの粒度でＲＳＲＱ報告値にマッピングしてもよい。実施形態はこの例に限定されない。
【００１９】
幾つかの実施形態では、改良ＲＳＲＱ測定報告手順の適用に関して、ＵＥ１０２は、ＲＳＲＱ測定値２１０をＲＳＲＱ報告値２１６にマッピングしてもよい。様々な実施形態では、ＵＥ１０２は、ＲＳＲＱ測定値２１０を、改良ＲＳＲＱ測定報告手順の改良ＲＳＲＱ測定報告マッピング方式を規定するＲＳＲＱ測定報告マッピング情報２１２に基づくＲＳＲＱ報告値２１６にマッピングしてもよい。幾つかの実施形態では、改良ＲＳＲＱ測定報告マッピング方式は、複数のＲＳＲＱ測定値サブレンジと複数のＲＳＲＱ報告値とを規定してもよく、複数のＲＳＲＱ報告値の各々は、複数のＲＳＲＱ測定値サブレンジの１つに対応していてもよい。様々な実施形態では、ＵＥ１０２は、複数のＲＳＲＱ測定値サブレンジから、ＲＳＲＱ測定値２１０を含むＲＳＲＱ測定値サブレンジを特定してもよい。幾つかの実施形態では、ＵＥ１０２は、特定されたＲＳＲＱ測定値サブレンジに対応するＲＳＲＱ報告値として、ＲＳＲＱ報告値２１６を特定してもよい。様々な実施形態では、改良ＲＳＲＱ測定報告マッピング方式は、それが確定する複数のＲＳＲＱ測定値サブレンジが、−３ｄＢより大きいＲＳＲＱ測定値に対応する一以上のＲＳＲＱ測定値サブレンジを含む拡張ＲＳＲＱ報告レンジを用いてもよい（ｆｅａｔｕｒｅ）。幾つかの実施形態では、例えば、改良ＲＳＲＱ測定報告マッピング方式は、−３ｄＢから２．５ｄＢまでのレンジのＲＳＲＱ測定値に集合的に対応するＲＳＲＱ測定値サブレンジを含む複数のＲＳＲＱ測定値サブレンジを確定してもよい。実施形態はこの例に限定されない。
【００２０】
様々な実施形態では、ＵＥ１０２は、ＲＳＲＱＱ報告値２１６を含む測定報告メッセージ２１４をｅＮＢ１０４に送信してもよい。幾つかの実施形態では、測定報告メッセージ２１４はＲＲＣ（ｒａｄｉｏ  ｒｅｓｏｕｒｃｅ  ｃｏｎｔｒｏｌ）メッセージを含んでいても良い。様々な実施形態では、測定報告メッセージ２１４はＭｅａｓｕｒｅｍｅｎｔＲｅｐｏｒｔメッセージを含んでもよい。幾つかの実施形態では、ＲＳＲＱ報告値２１６は、測定報告メッセージ２１４内に含まれる情報要素（ＩＥ）に含まれていてもよい。実施形態はこれに限定されない。
【００２１】
図３は、様々な実施形態の拡張ＲＳＲＱ報告レンジを用いる（ｆｅａｔｕｒｅｓ）拡張ＲＳＲＱ測定報告マッピング方式を表してもよいＲＳＲＱ測定報告マッピングテーブル３００の一例を示す。図３に示すように、ＲＳＲＱ測定報告マッピングテーブル３００は、複数のＲＳＲＱ測定値サブレンジを規定し、各サブレンジに対応するＲＳＲＱ報告値を規定する。幾つかのＲＳＲＱ測定値サブグループは、レガシーレンジ３０２に含まれるが、他のＲＳＲＱ測定値サブレンジは、拡張レンジ３０４に含まれる。幾つかの実施形態では、レガシーレンジ３０２は、レガシーＲＳＲＱ測定報告マッピング方式の、ＲＳＲＱ測定値サブレンジと、それに対応するＲＳＲＱ報告値とを含んでいてもよい。様々な実施形態において、拡張レンジ３０４は、実質的にレガシーＲＳＲＱ測定報告マッピング方式により想定されるＲＳＲＱ測定レンジ外にあるＲＳＲＱ測定の報告を可能にするＲＳＲＱ測定値サブレンジと、それに対応するＲＳＲＱ報告値とを含んでいてもよい。この例では、レガシーレンジ３０２は、ＲＳＲＱ測定値サブレンジと、それに対応する−３ｄＢより低いＲＳＲＱ測定値のＲＳＲＱ報告値とを含むが、拡張レンジ３０４は、−３ｄＢから２．５ｄＢまでのレンジのＲＳＲＱ測定値について、全部でＲＳＲＱ測定値サブレンジと、それに対応する拡張レンジＲＳＲＱ報告値とを、０．５ｄＢの粒度で確定する。拡張レンジ３０４は、１２番目の拡張レンジＲＳＲＱ報告値も含み、これは２．５ｄＢ以上のＲＳＲＱ測定値に対応する。実施形態はこの例に限定されない。
【００２２】
上記の実施形態の動作を、以下の図面と実施例を参照しつつさらに説明する。一部の図面にはロジックフローを含んでいる。これらの図面はロジックフローを含んでいるが、言うまでもなく、これらのロジックフローはここに説明する一般的な機能をいかに実施できるかという例を提供するだけのものである。さらに、特に断らなければ、ロジックフローは必ずしも説明した順序で実行しなくともよい。また、ロジックフローは、ハードウェア要素、プロセッサにより実行されるソフトウェア要素、またはこれらの組み合わせで実行できる。実施形態はこれに限定されない。
【００２３】
図４は、開示のＲＳＲＱ測定の報告手法の実装と共に、幾つかの実施形態で実行してもよい動作を表すロジックフロー４００の一例を示す。例えば、ロジックフロー４００は、図１及び２のＵＥ１０２により様々な実施形態で実行してもよい動作を表しても良い。図４に示す通り、ステップ４０２でＲＳＳＩを測定してもよい。例えば、図２の動作環境２００において、ＵＥ１０２は、ＲＳＳＩを測定して、ＲＳＳＩ測定値２０８を決定してもよい。ステップ４０４において、ＲＳＲＱ測定値は、測定されたＲＳＳＩに基づいて決定できる。例えば、図２の動作環境２００において、ＵＥ１０２は、ＲＳＳＩ測定２０８に基づいて、ＲＳＲＱ測定値２１０を決定してもよい。
【００２４】
ステップ４０６において、ＲＳＲＱ測定値は、拡張報告レンジを含むＲＳＲＱ測定報告マッピング方式によりＲＳＲＱ報告値にマッピングされてもよい。例えば、図２の動作環境２００において、ＵＥ１０２は、拡張報告レンジを含むＲＳＲＱ測定報告マッピング方式に対応するＲＳＲＱ測定報告マッピング情報２１２により、ＲＳＲＱ測定値２１０をＲＳＲＱ報告値２１６にマッピングしてもよい。幾つかの実施形態では、拡張報告レンジにより、一以上の確定されたＲＳＲＱ報告値が、−３ｄＢを越えるＲＳＲＱ測定値に対応してもよい。ステップ４０８において、ＲＳＲＱ報告値を示すＩＥを含むＭｅａｓｕｒｅｍｅｎｔＲｅｐｏｒｔメッセージが送信されてもよい。例えば、図２の動作環境２００において、ＵＥ１０２は、ＲＳＲＱ報告値２１６を示すＩＥを含むＭｅａｓｕｒｅｍｅｎｔＲｅｐｏｒｔメッセージを含む測定報告メッセージ２１４を送信してもよい。実施形態はこれらの例に限定されない。
【００２５】
図５は、開示のＲＳＲＱ測定の報告手法の実装と共に、様々な実施形態で実行してもよい動作を表すロジックフロー５００の一例を示す。例えば、ロジックフロー５００は、図１及び２のＵＥ１０２により幾つかの実施形態で実行してもよい動作を表しても良い。図５に示すように、ＲＳＲＱ測定値は、ステップ５０２で測定されたＲＳＳＩに基づいて決定されてもよい。例えば、図２の動作環境２００において、ＵＥ１０２は、ＲＳＳＩ測定２０８に基づいて、ＲＳＲＱ測定値２１０を決定してもよい。ステップ５０４において、ＲＳＲＱ測定値を含むＲＳＲＱ測定値サブレンジを特定してもよい。例えば、図２の動作環境２００において、ＵＥ１０２は、ＲＳＲＱ測定報告マッピング情報２１２に基づき、ＲＳＲＱ測定値２１０を含むＲＳＲＱ測定値サブレンジを特定してもよい。様々な実施形態では、ＲＳＲＱ測定値サブレンジは、ＲＳＲＱ測定報告マッピング方式の複数のＲＳＲＱ測定値サブレンジに含まれても良い。幾つかの実施形態では、複数のＲＳＲＱ測定値サブレンジは、−３ｄＢより大きいＲＳＲＱ測定値に対応する一以上のサブレンジを含んでもよく、これに対応する、ＲＳＲＱ測定値サブレンジのＲＳＲＱ報告値を指定してもよい。ステップ５０６において、特定されたＲＳＲＱ測定値サブレンジに対応するＲＳＲＱ報告値が特定されてもよい。例えば、図２の動作環境において、ＵＥ１０２は、ＲＳＲＱ測定値２１０を含むＲＳＲＱ測定値サブレンジに対応するＲＳＲＱ報告値として、ＲＳＲＱ報告値２１６を特定してもよい。ステップ５０８において、特定されたＲＳＲＱ報告値を含むＲＲＣ報告メッセージが送信されてもよい。例えば、図２の動作環境２００において、ＵＥ１０２は、ＲＳＲＱ報告値２１６を含むＲＲＣ報告メッセージを含む測定報告メッセージ２１４を送信してもよい。実施形態はこれらの例に限定されない。
【００２６】
図６は、開示のＲＳＲＱ測定の報告手法の実装と共に、様々な実施形態で実行してもよい動作を表すロジックフロー６００の一例を示す。例えば、ロジックフロー６００は、図１及び２のＵＥ１０２により幾つかの実施形態で実行してもよい動作を表しても良い。図６に示す通り、ＲＳＳＩはステップ６０２においてサブフレームについて測定してもよい。例えば、図２の動作環境２００において、ＵＥ１０２は、サブフレームのＲＳＳＩを測定して、ＲＳＳＩ測定値２０８を決定してもよい。ステップ６０４において、そのサブフレームのＲＳＲＱ測定値は、そのサブフレームの測定されたＲＳＳＩに基づいて決定してもよい。例えば、図２の動作環境２００において、ＵＥ１０２は、サブフレームのＲＳＳＩ測定２０８に基づいて、そのサブフレームのＲＳＲＱ測定値２１０を決定してもよい。
【００２７】
ステップ６０６において、ＲＳＲＱ測定値は、ＲＳＲＱ報告値にマッピングされてもよい。例えば、図２の動作環境２００において、ＵＥ１０２は、ＲＳＲＱ測定値２１０をＲＳＲＱ報告値２１６にマッピングしてもよい。様々な実施形態では、ＲＳＲＱ測定値は、拡張ＲＳＲＱ報告レンジを含むＲＳＲＱ測定報告マッピング方式に基づいて、ＲＳＲＱ報告値にマッピングされてもよい。幾つかの実施形態では、拡張レンジにより、一以上の確定されたＲＳＲＱ報告値が、集合的に、−３ｄＢから２．５ｄＢまでのレンジのＲＳＲＱ測定値に対応してもよい。ステップ６０８において、ＲＳＲＱ報告値を含むＩＥを含むＲＲＣメッセージが送信されてもよい。例えば、図２の動作環境２００において、ＵＥ１０２は、ＲＲＣメッセージを含む測定報告メッセージ２１４を送信してもよく、ＲＲＣメッセージはＲＳＲＱ報告値２１６を含むＩＥを含んでいてもよい。実施形態はこれらの例に限定されない。
【００２８】
図７は、記憶媒体７００の一実施形態を示す図である。記憶媒体７００は、光、磁気又は半導体記憶媒体などの、任意の非一時的、コンピュータ読み取り可能記憶媒体又はマシン読み取り可能記憶媒体を含んでいてもよい。様々な実施形態では、記憶媒体７００は製品（ａｒｔｉｃｌｅ  ｏｆ  ｍａｎｕｆａｃｔｕｒｅ）を含んでいてもよい。幾つかの実施形態では、記憶媒体７００は、図４のロジックフロー４００、図５のロジックフロー５００、及び図６のロジックフロー６００のうちの一以上を実装するコンピュータ実行可能命令などのコンピュータ実行可能命令を記憶してもよい。コンピュータ読み取り可能記憶媒体又はマシン読み取り可能記憶媒体の例は、電子データを記憶できる任意の有体媒体を含み、揮発性メモリ又は不揮発性メモリ、リムーバブル又は非リムーバブルメモリ、消去可能又は非消去可能メモリ、書き込み可能又は非書き込み可能メモリなどを含む。コンピュータ実行可能命令の例は、任意の適切なタイプのコードであるソースコード、コンパイルコード、インタープリタコード、実行可能コード、静的コード、動的コード、オブジェクト指向コード、ビジュアルコード等を含む。実施形態はこれに限定されない。
【００２９】
図８は、通信デバイスの一実施形態８００を示し、これは図１及び２のＵＥ１０２、図４のロジックフロー４００、図５のロジックフロー５００、図６のロジックフロー６００、図７の記憶媒体７００のうち一以上を実装してもよい。様々な実施形態では、デバイス８００はロジック回路８２８を含んでいてもよい。ロジック回路８２８は、図１及び２のＵＥ１０２、図４のロジックフロー４００、図５のロジックフロー５００、図６のロジックフロー６００などのうち一以上について説明した動作を実行する物理的回路を含んでいてもよい。図８に示したように、デバイス８００は、無線インターフェース８１０、ベースバンド回路８２０、及び計算プラットフォーム８３０を含んでいてもよいが、実施形態はこの構成に限定されない。
【００３０】
デバイス８００は、図１及び２のＵＥ１０２、図４のロジックフロー４００、図５のロジックフロー５００、図６のロジックフロー６００、図７の記憶媒体７００、及び単一の計算エンティティ（全体が単一デバイス内にあるもの）中のロジック回路８２８のうち一以上の構造及び／又は動作の一部又は全部を実装してもよい。あるいは、デバイス８００は、図１及び２のＵＥ１０２、図４のロジックフロー４００、図５のロジックフロー５００、図６のロジックフロー６００、図７の記憶媒体７００、及びロジック回路８２８のうち一以上の構造及び／又は動作の部分を、クライアントサーバアーキテクチャ、３層アーキテクチャ、Ｎ層アーキテクチャ、密結合又はクラスターアーキテクチャ、ピアツーピアアーキテクチャ、マスタスレーブアーキテクチャ、共有データベースアーキテクチャ、及びその他のタイプの分散システムなどの分散システムアーキテクチャを用いて、複数の計算エンティティに分散させてもよい。実施形態はこれに限定されない。
【００３１】
一実施形態では、無線インターフェース８１０は、シングルキャリア又はマルチキャリアの変調信号（例えば、相補的コードキーイング（ＣＣＫ）、直交周波数分割多重（ＯＦＤＭ）、及び／又はシングルキャリア周波数分割多重アクセス（ＳＣ−ＦＤＭＡ）シンボルを含む）を送受信するように適応されたコンポーネント又はコンポーネントの組み合わせを含んでもよいが、実施形態は特定の無線インターフェースや変調方式には限定されない。無線インターフェース８１０は、例えば、レシーバ８１２、周波数シンセサイザ８１４、及び／又はトランスミッタ８１６を含んでもよい。無線インターフェース８１０は、バイアス制御、クリスタルオシレータ、及び／又は一以上のアンテナ８１８−ｆを含んでいてもよい。他の一実施形態では、必要に応じて、無線インターフェース８１０は、外部電圧制御オシレータ（ＶＣＯ）、ＳＡＷ（ｓｕｒｆａｃｅ  ａｃｏｕｓｔｉｃ  ｗａｖｅ）フィルタ、中間周波数（ＩＦ）フィルタ、及び／又はＲＦフィルタを用いても良い。ＲＦインターフェースには様々なデザインが考えられるので、これ以上の説明は省略する。
【００３２】
ベースバンド回路８２０は、無線インターフェース８１０と通信して、送受信信号を処理してもよく、例えば、受信信号をダウンコーバートするアナログツーデジタルコンバータ８２２と、送信する信号をアップコンバートするデジタルツーアナログコンバータ８２４などを含んでもよい。さらに、ベースバンド回路８２０は、送受信信号のＰＨＹリンクレイヤ処理するベースバンド又は物理レイヤ（ＰＨＹ）処理回路８２６を含んでもよい。ベースバンド回路８２０は、例えば、メディアアクセスコントロール（ＭＡＣ）／データリンクレイヤ処理をするＭＡＣ処理回路８２７を含んでもよい。ベースバンド回路８２０は、例えば、一以上のインターフェース８３４を介してＭＡＣ処理回路８２７及び／又は計算プラットフォーム８３０と通信するメモリコントローラ８３２を含んでもよい。
【００３３】
幾つかの実施形態では、ＰＨＹ処理回路８２６は、バッファメモリなどの付加回路と組み合わせて、通信フレームを構成及び／又は分解（ｄｅｃｏｎｓｔｒｕｃｔ）するフレーム構成及び／又は検出モジュールを含んでもよい。代替的又は追加的に、ＭＡＣ処理回路８２７がこれらの機能の一部の処理を共有してもよく、ＰＨＹ処理回路８２６とは独立にこれらの処理を実行してもよい。幾つかの実施形態では、ＭＡＣ及びＰＨＹ処理は単一回路に集積されてもよい。
【００３４】
計算プラットフォーム８３０は、デバイス８００の計算機能を提供してもよい。図示したように、計算プラットフォーム８３０は処理コンポーネント８４０を含んでもよい。ベースバンド回路８２０に加えて、又はその替わりに、デバイス８００は、処理コンポーネント８４０を用いて、図１及び２のＵＥ１０２、図４のロジックフロー４００、図５のロジックフロー５００、図６のロジックフロー６００、図７の記憶媒体７００、及びロジック回路８２８のうち一以上の処理動作又はロジックを実行してもよい。処理コンポーネント８４０（及び／又はＰＨＹ８２６及び／又はＭＡＣ８２７）は、様々なハードウェア要素、ソフトウェア要素、又は両者の組み合わせを含んでいてもよい。ハードウェア要素の例は、デバイス、ロジックデバイス、コンポーネント、プロセッサ、マイクロプロセッサ、回路、プロセッサ回路、回路要素（例えば、トランジスタ、抵抗、キャパシタ、インダクタなど）、集積回路、特定用途集積回路（ＡＳＩＣ）、プログラマブルロジックデバイス（ＰＬＤ）、デジタル信号プロセッサ（ＤＳＰ）、フィールドプログラマブルゲートアレイ（ＦＰＧＡ）、メモリユニット、ロジックゲート、レジスタ、半導体デバイス、チップ、マイクロチップ、チップセットなどを含んでいてもよい。ソフトウェア要素の例は、ソフトウェアコンポーネント、プログラム、アプリケーション、コンピュータプログラム、アプリケーションプログラム、システムプログラム、ソフトウェアデベロップメントプログラム、マシンプログラム、オペレーティングシステムソフトウェア、ミドルウェア、ファームウェア、ソフトウェアモジュール、ルーチン、サブルーチン、関数、メソッド、プロシージャ、ソフトウェアインタフェース、アプリケーションプログラムインタフェース（ＡＰＩ）、命令セット、コンピューティングコード、コンピュータコード、コードセグメント、コンピュータコードセグメント、ワード、値、シンボル、またはこれらの組み合わせを含んでいてもよい。一実施形態をハードウェア要素及び／またはソフトウェア要素を用いて実装するかの決定は、実装における必要性に応じて、所望の計算レート、パワーレベル、耐熱、処理サイクルバジェット、入力データレート、出力データレート、メモリリソース、データバススピード、その他の設計上または性能上の制約などの要因により変わりうる。
【００３５】
計算プラットフォーム８３０はさらに、他のプラットフォームコンポーネント８５０を含んでいてもよい。他のプラットフォームコンポーネント８５０は、共通の計算要素である、一以上のプロセッサ、マルチコアプロセッサ、コ・プロセッサ、メモリユニット、チップセット、コントローラ、周辺回路、インターフェース、オシレータ、タイミングデバイス、ビデオカード、オーディオカード、マルチメディア入出力（Ｉ／Ｏ）コンポーネント（例えば、デジタルディスプレイ）、電源などを含む。メモリユニットの例は、様々なタイプのコンピュータ読み取り可能及びマシン読み取り可能記憶媒体を含むが、これに限定されない。これは、リードオンリメモリ（ＲＯＭ）、ランダムアクセスメモリ（ＲＡＭ）、ダイナミックＲＡＭ（ＤＲＡＭ）、ダブルデータレートＤＲＡＭ（ＤＤＲＡＭ）、シンクロナスＤＲＡＭ（ＳＤＲＡＭ）、スタティックＲＡＭ（ＳＲＡＭ）、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、フラッシュメモリ、ポリマメモリ（鏡誘電体ポリマメモリ等）、オボニックメモリ、相変化又は鏡誘電体メモリ、シリコン・酸素・窒素・酸素シリコン（ＳＯＮＯＳ）メモリ、磁気又は光学カード、ＲＡＩＤ（Ｒｅｄｕｎｄａｎｔ  Ａｒｒａｙ  ｏｆ  Ｉｎｄｅｐｅｎｄｅｎｔ  Ｄｉｓｋｓ）ドライブなどのデバイスアレイ、固体メモリデバイス（例えば、ＵＳＢメモリ、ソリッドステートドライブ（ＳＳＤ）など）、及びその他のタイプの、情報の記憶に適した記憶媒体を含むが、これに限定されない。
【００３６】
デバイス８００は、例えば、ウルトラモバイルデバイス、モバイルデバイス、固定デバイス、マシンツーマシン（Ｍ２Ｍ）デバイス、パーソナルデジタルアシスタント（ＰＤＡ）、モバイル計算デバイス、スマートフォン、電話、デジタル電話、ユーザ装置、ｅＢｏｏｋリーダ、ハンドセット、ワンウェイページャ、ツーウェイページャ、メッセージングデバイス、コンピュータ、パーソナルコンピュータ（ＰＣ）、デスクトップコンピュータ、ラップトップコンピュータ、ノートブックコンピュータ、ネットブックコンピュータ、ハンドヘルドコンピュータ、タブレットコンピュータ、サーバ、サーバアレイ又はサーバファーム、ウェブサーバ、ネットワークサーバ、インターネットサーバ、ワークステーション、ミニコンピュータ、メインフレームコンピュータ、スーパーコンピュータ、ネットワーク機器、ウェブ機器、分散計算システム、マルチプロセッサシステム、プロセッサベースシステム、コンシューマエレクトロニクス、プログラマブルコンシューマエレクトロニクス、ゲームデバイス、ディスプレイ、テレビジョン、デジタルテレビジョン、セットトップボックス、無線アクセスポイント、基地局、ノードＢ、加入者局、モバイル加入者センタ、無線ネットワークコントローラ、ルータ、ハブ、ゲートウェイ、ブリッジ、スイッチ、マシン、又はこれらの組み合わせを含んでもよい。したがって、デバイス８００の様々な実施形態では、必要に応じて、ここに説明のデバイス８００の機能及び／又は構成を含んでも含まなくてもよい。
【００３７】
デバイス８００の実施形態は、単一入力単一出力（ＳＩＳＯ）アーキテクチャを用いて実装してもよい。しかし、ある実装は、ビームフォーミング又は空間的分割多重アクセス（ＳＤＭＡ）及び／又はＭＩＭＯ通信手法のための適応的アンテナ手法を用いる送受信のために、複数のアンテナ（例えば、アンテナ８１８−ｆ）を含んでもよい。
【００３８】
デバイス８００のコンポーネント及びフィーチャは、ディスクリート回路、特定用途集積回路（ＡＳＩＣ）、ロジックゲート、及び／又はシングルチップアーキテクチャの任意の組み合わせを用いて実装してもよい。さらに、デバイス８００のフィーチャ（ｆｅａｔｕｒｅｓ）は、適切であれば、マイクロコントローラ、プログラマブルロジックアレイ及び／又はマイクロプロセッサ又は上記の任意の組み合わせを用いて実装してもよい。留意点として、ハードウェア、ファームウェア、及び／又はソフトウェア要素は、集合的に又は個別に、ここでは「ロジック」又は「回路」と呼ぶことがある。
【００３９】
言うまでもなく、図８のブロック図に示したデバイス８００は、多くの潜在的な実装の機能を示す一例を表す。したがって、添付した図面に示したブロック機能の分割、削除、又は包含は、そのハードウェアコンポーネント、回路、ソフトウェア、及び／又はこれらの機能を実装する要素が、実施形態において必ず分割、削除、又は包含されることを示唆するものではない。
【００４０】
図９は、ブロードバンド無線アクセスシステム９００の一実施形態を示す。図９に示したように、ブロードバンド無線アクセスシステム９００は、インターネット９１０へのモバイル無線アクセス及び／又は固定無線アクセスをサポートできる、インターネットタイプのネットワーク９１０などを含むインターネットプロトコル（ＩＰ）タイプネットワークであってもよい。一以上の実施形態では、ブロードバンド無線アクセスシステム９００は、３ＧＰＰ  ＬＴＥ仕様及び／又はＩＥＥＥ８０２．１６標準のうち一以上に準拠したシステムなどの、任意のタイプの直交周波数分割多重アクセス（ＯＦＤＭＡ）ベースの、又はシングルキャリア周波数分割多重アクセス（ＳＣ−ＦＤＭＡ）ベースの無線ネットワークを含んでもよい。特許請求の範囲の主題の範囲はこれらの点に限定されない。
【００４１】
ブロードバンド無線アクセスシステム９００の例において、ＲＡＮ（ｒａｄｉｏ  ａｃｃｅｓｓ  ｎｅｔｗｏｒｋｓ）９１２及び９１８は、それぞれｅノードＢ（ｅＮＢ）９１４及び９２０と結合して、一以上の固定デバイス９１６とインターネット９１０との間、及び／又は一以上のモバイルデバイス９２２とインターネットとの間に無線通信を提供することができる。固定デバイス９１６とモバイルデバイス９２２の一例は、図８のデバイス８００であり、固定デバイス９１６はデバイス８００の固定バージョンを含み、モバイルデバイス９２２はデバイス８００のモバイルバージョンを含む。ＲＡＮ９１２と９１８は、ブロードバンド無線アクセスシステム９００の一以上の物理的エンティティに、ネットワーク機能のマッピングを規定することができるプロファイルを実装してもよい。ｅＮＢ９１４と９２０は、デバイス８００を参照して説明したように、固定デバイス９１６及び／又はモバイルデバイス９２２とのＲＦ通信を提供する無線装置を含んでいても良く、例えば、３ＧＰＰ  ＬＴＥ仕様又はＩＥＥＥ８０２．１６標準に準拠したＰＨＹ及びＭＡＣレイヤ機器を含んでもよい。ｅＮＢ９１４及び９２０は、それぞれＲＡＮ９１２及び９１８を介してインターネット９１０に結合するＩＰバックプレーンを含んでも良いが、特許請求の範囲の主題の範囲はこの点に限定されない。
【００４２】
ブロードバンド無線アクセスシステム９００は、ビジット（ｖｉｓｉｔｅｄ）コアネットワーク（ＣＮ）９２４及び／又はホームＣＮ９２６をさらに含んでもよい。これらの各々は、一以上のネットワーク機能を提供することができてもよい。ネットワーク機能は、プロキシ及び／又はリレータイプの機能、認証、承認及びアカウンティング（ＡＡＡ）機能、ＤＨＣＰ（ｄｙｎａｍｉｃ  ｈｏｓｔ  ｃｏｎｆｉｇｕｒａｔｉｏｎ  ｐｒｏｔｏｃｏｌ）機能、ドメインネームサービス制御等、ドメインゲートウェイ（公衆切り替え電話ネットワーク（ＰＳＴＮ）ゲートウェイ又はボイスオーバーインターネットプロトコル（ＶｏＩＰ）ゲートウェイなど）、及び／又はインターネットプロトコル（ＩＰ）タイプのサービス機能などが含まれるが、これらに限定されない。しかし、これらは単にそのタイプの機能の例であり、ビジットＣＮ９２４及び／又はホームＣＮ９２６により提供され得るものであり、特許請求の範囲の主題の範囲はこれらの点に限定されない。ビジット（ｖｉｓｉｔｅｄ）ＣＮ９２４がビジットＣＮと呼ばれるのは、ビジットＣＮ９２４が固定デバイス９１６又はモバイルデバイス９２２の通常のサービスプロバイダの一部ではない場合、例えば、固定デバイス９１６又はモバイルデバイス９２２がそれぞれのホームＣＮ９２６からローミングしている場合、又はブロードバンド無線アクセスシステム９００が固定デバイス９１６又はモバイルデバイス９２２の通常のサービスプロバイダの一部であるが、ブロードバンド無線アクセスシステム９００が固定デバイス９１６又はモバイルデバイス９２２のメイン又はホームロケーションでない他のロケーション又は状態にある場合であってもよい。実施形態はこれに限定されない。
【００４３】
固定デバイス９１６は、ｅＮＢ９１４及び９２０の一方又は両方のレンジ内のどこにあってもよく、家庭又は職場の中に又はその近くにあって家庭又は仕事のカスタマーに、ｅＮＢ９１４と９２０、ＲＡＮ９１２と９１８、及びホームＣＮ９２６を介してインターネット９１０へのブロードバンドアクセスを提供してもよい。留意点として、固定デバイス９１６は概して固定されたロケーションに配置されるが、必要に応じて異なるロケーションに移動されてもよい。モバイルデバイス９２２は、例えば、ｅＮＢ９１４と９２０の一方又は両方のレンジ内にあるとき、一以上のロケーションで利用されてもよい。一以上の実施形態では、動作サポートシステム（ＯＳＳ）９２８は、ブロードバンド無線アクセスシステム９００の一部であってもく、ブロードバンド無線アクセスシステム９００の管理機能を提供し、ブロードバンド無線アクセスシステム９００の機能エンティティ間にインターフェースを提供してもよい。図９のブロードバンド無線アクセスシステム９００は、ブロードバンド無線アクセスシステム９００のコンポーネントのある数のコンポーネントを示す１つのタイプの無線ネットワークに過ぎず、特許請求の範囲の主題の範囲はこの点に限定されない。
【００４４】
様々な実施形態は、ハードウェア要素、ソフトウェア要素、または両者の組み合わせを用いて実装できる。ハードウェア要素の例としては、プロセッサ、マイクロプロセッサ、回路、回路要素（例えば、トランジスタ、抵抗、キャパシタ、インダクタなど）、集積回路、ＡＳＩＣ、ＰＬＤ、ＤＳＰ、ＦＰＧＡ、ロジックゲート、レジスタ、半導体装置、チップ、マイクロチップ、チップセット等を含む。ソフトウェアの例としては、ソフトウェアコンポーネント、プログラム、アプリケーション、コンピュータプログラム、アプリケーションプログラム、システムプログラム、マシンプログラム、オペレーティングシステムソフトウェア、ミドルウェア、ファームウェア、ソフトウェアモジュール、ルーチン、サブルーチン、関数、メソッド、プロシージャ、ソフトウェアインタフェース、アプリケーションプログラムインタフェース、命令セット、コンピューティングコード、コンピュータコード、コードセグメント、コンピュータコードセグメント、ワード、値、シンボル、またはこれらの組み合わせが含まれる。一実施形態をハードウェア要素及び／またはソフトウェア要素を用いて実装するかの決定は、所望の計算レート、パワーレベル、耐熱、処理サイクルバジェット、入力データレート、出力データレート、メモリリソース、データバススピード、その他の設計上または性能上の制約などの要因により変わりうる。
【００４５】
少なくとも一実施形態の一以上の態様は、プロセッサにおける様々なロジックを表す機械読み取り可能媒体に記憶された代表的命令により実装できる。命令は、機械により読み取られると、その機械に、ここに説明した手法を実行するロジックを構成させる。かかる表現は、「ＩＰコア」として知られているが、有体の機械読み取り可能媒体上に記憶され、様々なカスタマーまたは生産施設に供給され、ロジックまたはプロセッサを実際に作る生産機械にロードされる。一部の実施形態は、例えば、機械により実行されると、その機械に実施形態による方法及び／または動作を実行させる命令またはそのセットを格納した、機械読み出し可能メディアまたは製品（ａｒｔｉｃｌｅ）を用いて実施される。かかる機械には、例えば、好適な処理プラットフォーム、コンピューティングプラットフォーム、コンピューティングデバイス、処理デバイス、コンピューティングシステム、処理システム、コンピュータプロセッサ等を含んでもよいし、好適なハードウェア及び／またはソフトウェアの組み合わせを用いて実施してもよい。機械読み出し可能媒体または製品には、例えば、任意の適切なタイプのメモリユニット、メモリデバイス、メモリ製品、メモリメディア、記憶デバイス、記憶製品、記憶メディア及び／または記憶ユニット、例えば、メモリ、リムーバブルまたは非リムーバブルメディア、消去可能または非消去可能メディア、書き込み可能または非書き込み可能メディア、デジタルまたはアナログメディア、ハードディスク、フロッピーディスク、ＣＤ−ＲＯＭ、ＣＤ−Ｒ、ＣＤ−ＲＷ、光ディスク、磁気メディア、光磁気メディア、リムーバブルメモリカードまたはディスク、様々なタイプのＤＶＤ、テープ、カセット等が含まれる。命令には、ハイレベル、ローレベル、オブジェクト指向、ビジュアル、コンパイル済み、及び／またはインタープリット済みプログラミング言語など好適な言語を用いて実装される、ソースコード、コンパイル済みコード、インタープリットコード、実行コード、スタティックコード、ダイナミックコード、暗号化コードなどの好適な任意のコードを含む。
【００４６】
例１は装置であり、該装置は、少なくとも一部分がハードウェアであるロジックであって、受信信号強度インジケータ（ＲＳＳＩ）を測定し、測定されたＲＳＳＩに基づいて基準信号受信品質（ＲＳＲＱ）測定値を決定し、確定されるＲＳＲＱ報告値が−３ｄＢを越えるＲＳＲＱ測定値に対応する拡張ＲＳＲＱ報告レンジを含むＲＳＲＱ測定報告マッピング方式により、前記ＲＳＲＱ測定値をＲＳＲＱ報告値にマッピングする、ロジックを含む。
【００４７】
例２は、例１の装置であって、前記ＲＳＲＱ測定報告マッピング方式は、−３ｄＢを越え、２．５ｄＢ以下である可能性のある各ＲＳＲＱ測定値の、対応するＲＳＲＱ報告値を指定する。
【００４８】
例３は、例１の装置であって、前記改良ＲＳＲＱ測定報告マッピング方式は、複数のＲＳＲＱ測定値サブレンジと複数のＲＳＲＱ報告値とを規定し、前記複数のＲＳＲＱ報告値の各々は、前記複数のＲＳＲＱ測定値サブレンジの１つに対応する。
【００４９】
例４は、例３の装置であって、前記ＲＳＲＱ測定報告マッピング方式は、ＲＳＲＱ測定値を０．５ｄＢの解像度でＲＳＲＱ報告値にマッピングする。
【００５０】
例５は、例１の装置であって、測定されたＲＳＳＩはサブフレームのＲＳＳＩを含み、決定されたＲＳＲＱ測定値は前記サブフレームのＲＳＲＱ測定値を含む。
【００５１】
例６は、例５の装置であって、前記ロジックは前記サブフレーム中のすべてのＯＦＤＭシンボルにわたるＲＳＳＩを測定する。
【００５２】
例７は、例１の装置であって、前記ロジックは測定帯域幅のＲＳＳＩを測定する。
【００５３】
例８は、例１の装置であって、前記ロジックは、前記ＲＳＲＱ報告値を示す情報要素（ＩＥ）を含むＭｅａｓｕｒｅｍｅｎｔＲｅｐｏｒｔを送信する。
【００５４】
例９は、ユーザ装置（ＵＥ）であって、該ユーザ装置は、例１ないし８いずれか一項に記載の装置と、少なくとも１つの無線周波数（ＲＦ）トランシーバと、少なくとも１つのＲＦアンテナとを含む。
【００５５】
例１０は、例９のＵＥであって、少なくとも１つのメモリユニットと、タッチスクリーンディスプレイとを含む。
【００５６】
例１１は、命令セットを含む少なくとも１つの非一時的コンピュータ読み取り可能記憶媒体であって、前記命令セットは、ユーザ装置（ＵＥ）において実行されると、前記ＵＥに、測定された受信信号強度インジケータ（ＲＳＳＩ）に基づいて基準信号受信品質（ＲＳＲＱ）測定値を決定させ、ＲＳＲＱ測定報告マッピング方式の複数のＲＳＲＱ測定値サブレンジから、前記ＲＳＲＱ測定値を含むＲＳＲＱ測定値サブレンジを特定させ、前記複数のＲＳＲＱ測定値サブレンジは−３ｄＢより大きいＲＳＲＱ測定値に対応する一以上のサブレンジを含み、前記ＲＳＲＱ測定報告マッピング方式は前記ＲＳＲＱ測定値サブレンジの、対応するＲＳＲＱ報告値を指定し、特定されたＲＳＲＱ測定値サブレンジに対応するＲＳＲＱ報告値を特定させる。
【００５７】
例１２は、例１１の少なくとも１つの非一時的コンピュータ読み取り可能記憶媒体であって、前記ＵＥにおいて実行されると、前記ＵＥに、特定されたＲＳＲＱ報告値を含む無線リソース制御（ＲＲＣ）報告メッセージを送信させる命令を含む。
【００５８】
例１３は、例１１の少なくとも１つの非一時的コンピュータ読み取り可能記憶媒体であって、前記ＲＳＲＱ測定報告マッピング方式は、０．５ｄＢの粒度で、前記複数のＲＳＲＱ測定値サブレンジを確定する。
【００５９】
例１４は、例１１の少なくとも１つの非一時的コンピュータ読み取り可能記憶媒体であって、前記ＲＳＲＱ測定報告マッピング方式は、拡張ＲＳＲＱ報告レンジを実装する。
【００６０】
例１５は、例１１の少なくとも１つの非一時的コンピュータ読み取り可能記憶媒体であって、前記複数のＲＳＲＱ測定値サブレンジは、−３ｄＢから２．５ｄＢまでのレンジのＲＳＲＱ測定値に集合的に対応するＲＳＲＱ測定値サブレンジを含む。
【００６１】
例１６は、例１１の少なくとも１つの非一時的コンピュータ読み取り可能記憶媒体であって、前記ＵＥにおいて実行されると、前記ＵＥに、前記ＲＳＳＩを測定するサブフレームの前記ＲＳＲＱ測定値を決定させる、命令を含む。
【００６２】
例１７は、例１６の少なくとも１つの非一時的コンピュータ読み取り可能記憶媒体であって、前記ＵＥにおいて実行されると、前記ＵＥに、前記サブフレームのすべてのＯＦＤＭシンボルにわたるＲＳＳＩを測定させる。
【００６３】
例１８は、例１１の少なくとも１つの非一時的コンピュータ読み取り可能記憶媒体であって、前記ＵＥにおいて実行されると、前記ＵＥに、前記ＲＳＳＩを測定する帯域幅の前記ＲＳＲＱ測定値を決定させる、命令を含む。
【００６４】
例１９は装置であって、該装置は、少なくとも一部分がハードウェアであるロジックであって、サブフレームの受信信号強度インジケータ（ＲＳＳＩ）を測定し、前記サブフレームの測定されたＲＳＳＩに基づいて基準信号受信品質（ＲＳＲＱ）測定値を決定し、確定される一以上のＲＳＲＱ報告値が−３ｄＢから２．５ｄＢのレンジのＲＳＲＱ測定値に集合的に対応する拡張ＲＳＲＱ報告レンジを含むＲＳＲＱ測定報告マッピング方式に基づいて、前記ＲＳＲＱ測定値をＲＳＲＱ報告値にマッピングする、ロジックを含む。
【００６５】
例２０は、例１９の装置であって、前記ロジックは、ゼロトラフィック負荷に関連するリソース要素（ＲＥ）パワーアロケーションパターンにより、前記サブフレームのＲＳＳＩを測定する。
【００６６】
例２１は、例１９の装置であって、前記ロジックは、前記ＲＳＲＱ報告値を含む情報要素（ＩＥ）を含む無線リソース制御（ＲＲＣ）メッセージを生成する。
【００６７】
例２２は、例１９の装置であって、前記ＲＳＲＱ測定報告マッピング方式は、ＲＳＲＱ測定値を０．５ｄＢの粒度でＲＳＲＱ報告値にマッピングする。
【００６８】
例２３は、例１９の装置であって、前記ロジックは、前記サブフレームのすべてのＯＦＤＭシンボルに渡り前記サブフレームのＲＳＳＩを測定する。
【００６９】
例２４は、例１９の装置であって、前記ロジックは測定帯域幅のＲＳＳＩを測定する。
【００７０】
例２５は、例１９の装置であって、前記改良ＲＳＲＱ測定報告マッピング方式は、複数のＲＳＲＱ測定値サブレンジと複数のＲＳＲＱ報告値とを規定し、前記複数のＲＳＲＱ報告値の各々は、前記複数のＲＳＲＱ測定値サブレンジの１つに対応する。
【００７１】
例２６は、例２５の装置であって、前記ロジックは、前記ＲＳＲＱ測定値を含むＲＳＲＱ測定値サブレンジを特定し、特定されたＲＳＲＱ測定値サブレンジに対応するＲＳＲＱ報告値として前記ＲＳＲＱ報告値を特定する。
【００７２】
例２７は、ユーザ装置（ＵＥ）であって、該ユーザ装置は、例１９ないし２６いずれか一項に記載の装置と、一以上の無線周波数（ＲＦ）トランシーバと、一以上のＲＦアンテナとを含む。
【００７３】
例２８は、例２７のＵＥであって、タッチスクリーンディスプレイを含む。
【００７４】
例２９は、命令セットを含む少なくとも１つの非一時的コンピュータ読み取り可能記憶媒体であって、前記命令セットは、ユーザ装置（ＵＥ）において実行されると、前記ＵＥに、前記ロジックは受信信号強度インジケータ（ＲＳＳＩ）を測定させ、測定したＲＳＳＩに基づき基準信号受信品質（ＲＳＲＱ）測定値を決定させ、一以上の確定されたＲＳＲＱ報告値が−３ｄＢを越えるＲＳＲＱ測定値に対応する拡張ＲＳＲＱ報告レンジを含むＲＳＲＱ測定報告マッピング方式により前記ＲＳＲＱ測定値をＲＳＲＱ報告値にマッピングさせる。
【００７５】
例３０は、例２９の少なくとも１つの非一時的コンピュータ読み取り可能記憶媒体であって、前記ＲＳＲＱ測定報告マッピング方式は、−３ｄＢを越え、２．５ｄＢ以下である可能性のある各ＲＳＲＱ測定値の、対応するＲＳＲＱ報告値を指定する。
【００７６】
例３１は、例２９の少なくとも１つの非一時的コンピュータ読み取り可能記憶媒体であって、前記改良ＲＳＲＱ測定報告マッピング方式は、複数のＲＳＲＱ測定値サブレンジと複数のＲＳＲＱ報告値とを規定し、前記複数のＲＳＲＱ報告値の各々は、前記複数のＲＳＲＱ測定値サブレンジの１つに対応する。
【００７７】
例３２は、例３１の少なくとも１つの非一時的コンピュータ読み取り可能記憶媒体であって、
前記ＲＳＲＱ測定報告マッピング方式は、ＲＳＲＱ測定値を０．５ｄＢの解像度でＲＳＲＱ報告値にマッピングする。
【００７８】
例３３は、例２９の少なくとも１つの非一時的コンピュータ読み取り可能記憶媒体であって、測定されたＲＳＳＩはサブフレームのＲＳＳＩを含み、決定されたＲＳＲＱ測定値は前記サブフレームのＲＳＲＱ測定値を含む。
【００７９】
例３４は、例３３の少なくとも１つの非一時的コンピュータ読み取り可能記憶媒体であって、前記ＵＥにおいて実行されると、前記ＵＥに、前記サブフレームのすべてのＯＦＤＭシンボルにわたるＲＳＳＩを測定させる命令を含む。
【００８０】
例３５は、例２９の少なくとも１つの非一時的コンピュータ読み取り可能記憶媒体であって、前記ＵＥにおいて実行されると、前記ＵＥに、測定帯域幅のＲＳＳＩを測定させる。
【００８１】
例３６は、例２９の少なくとも１つの非一時的コンピュータ読み取り可能記憶媒体であって、前記ＵＥにおいて実行されると、前記ＵＥに、前記ＲＳＲＱ報告値を示す情報要素（ＩＥ）を含むＭｅａｓｕｒｅｍｅｎｔＲｅｐｏｒｔメッセージを送信させる命令を含む。
【００８２】
実施例３７は方法を含み、該方法は、ユーザ装置（ＵＥ）の処理回路が、測定された受信信号強度インジケータ（ＲＳＳＩ）に基づいて基準信号受信品質（ＲＳＲＱ）測定値を決定するステップと、ＲＳＲＱ測定報告マッピング方式の複数のＲＳＲＱ測定値サブレンジから、前記ＲＳＲＱ測定値を含むＲＳＲＱ測定値サブレンジを特定するステップであって、前記複数のＲＳＲＱ測定値サブレンジは−３ｄＢより大きいＲＳＲＱ測定値に対応する一以上のサブレンジを含み、前記ＲＳＲＱ測定報告マッピング方式は前記ＲＳＲＱ測定値サブレンジの、対応するＲＳＲＱ報告値を指定する、ステップと、特定されたＲＳＲＱ測定値サブレンジに対応するＲＳＲＱ報告値を特定するステップとを含む。
【００８３】
例３８は、例３７に記載の方法であって、特定されたＲＳＲＱ報告値を含む無線リソース制御（ＲＲＣ）報告メッセージを送信するステップを含む。
【００８４】
例３９は、例３７に記載の方法であって、前記ＲＳＲＱ測定報告マッピング方式は、０．５ｄＢの粒度で、前記複数のＲＳＲＱ測定値サブレンジを確定する。
【００８５】
例４０は、例３７に記載の方法であって、前記ＲＳＲＱ測定報告マッピング方式は、拡張ＲＳＲＱ報告レンジを実装する。
【００８６】
例４１は、例３７に記載の方法であって、前記複数のＲＳＲＱ測定値サブレンジは、−３ｄＢから２．５ｄＢまでのレンジのＲＳＲＱ測定値に集合的に対応するＲＳＲＱ測定値サブレンジを含む。
【００８７】
例４２は、例３７に記載の方法であって、前記ＲＳＳＩを測定するサブフレームの前記ＲＳＲＱ測定値を決定するステップを含む。
【００８８】
例４３は、例４２に記載の方法であって、前記サブフレームのすべてのＯＦＤＭシンボルにわたるＲＳＳＩを測定するステップを含む。
【００８９】
例４４は、例３７に記載の方法であって、前記ＲＳＳＩを測定する帯域幅の前記ＲＳＲＱ測定値を決定するステップを含む。
【００９０】
例４５は、命令セットを含む少なくとも１つの非一時的コンピュータ読み取り可能記憶媒体であって、前記命令セットは、計算デバイスにおいて実行されると、前記計算装置に、例３７ないし４４いずれか一項に記載の方法を実行させる。
【００９１】
例４６は、例３７ないし４４いずれか一項に記載の方法を実行する手段を有する装置である。
【００９２】
例４７はシステムであって、該システムは、例４６に記載の装置と、一以上の無線周波数（ＲＦ）トランシーバと、一以上のＲＦアンテナとを含む。
【００９３】
例４８は、例４７のシステムであって、タッチスクリーンディスプレイを含む。
【００９４】
例４９は、命令セットを含む少なくとも１つの非一時的コンピュータ読み取り可能記憶媒体であって、前記命令セットは、ユーザ装置（ＵＥ）において実行されると、前記ＵＥに、サブフレームの受信信号強度インジケータ（ＲＳＳＩ）を測定させ、前記サブフレームの測定されたＲＳＳＩに基づき、前記サブフレームの基準信号受信品質（ＲＳＲＱ）測定値を決定させ、一以上の確定されたＲＳＲＱ報告値が−３ｄＢから２．５ｄＢのレンジのＲＳＲＱ測定値に集合的に対応する拡張ＲＳＲＱ報告レンジを含むＲＳＲＱ測定報告マッピング方式に基づき、前記ＲＳＲＱ測定値をＲＳＲＱ報告値にマッピングさせる。
【００９５】
例５０は、例４９の少なくとも１つの非一時的コンピュータ読み取り可能記憶媒体であって、命令を含み、該命令は、前記ＵＥにより実行させると、前記ＵＥに、ゼロトラフィック負荷に関連するリソース要素（ＲＥ）パワーアロケーションパターンにより、前記サブフレームのＲＳＳＩを測定させる。
【００９６】
例５１は、例４９の少なくとも１つの非一時的コンピュータ読み取り可能記憶媒体であって、命令を含み、該命令は、前記ＵＥにより実行させると、前記ＵＥに、前記ＲＳＲＱ報告値を含む情報要素（ＩＥ）を含む無線リソース制御（ＲＲＣ）メッセージを生成させる。
【００９７】
例５２は、例４９の少なくとも１つの非一時的コンピュータ読み取り可能記憶媒体であって、前記ＲＳＲＱ測定報告マッピング方式は、ＲＳＲＱ測定値を０．５ｄＢの粒度でＲＳＲＱ報告値にマッピングする。
【００９８】
例５３は、例４９の少なくとも１つの非一時的コンピュータ読み取り可能記憶媒体であって、命令を含み、該命令は、前記ＵＥにより実行させると、前記ＵＥに、前記サブフレームのすべてのＯＦＤＭシンボルに渡り前記サブフレームのＲＳＳＩを測定させる。
【００９９】
例５４は、例４９の少なくとも１つの非一時的コンピュータ読み取り可能記憶媒体であって、前記ＵＥにおいて実行されると、前記ＵＥに、測定帯域幅のＲＳＳＩを測定させる。
【０１００】
例５５は、例４９の少なくとも１つの非一時的コンピュータ読み取り可能記憶媒体であって、前記改良ＲＳＲＱ測定報告マッピング方式は、複数のＲＳＲＱ測定値サブレンジと複数のＲＳＲＱ報告値とを規定し、前記複数のＲＳＲＱ報告値の各々は、前記複数のＲＳＲＱ測定値サブレンジの１つに対応する。
【０１０１】
例５６は、例５５の少なくとも１つの非一時的コンピュータ読み取り可能記憶媒体であって、命令を含み、該命令は、前記ＵＥにより実行させると、前記ＵＥに、前記ＲＳＲＱ測定値を含むＲＳＲＱ測定値サブレンジを特定させ、特定されたＲＳＲＱ測定値サブレンジに対応するＲＳＲＱ報告値として前記ＲＳＲＱ報告値を特定させる。
【０１０２】
実施例５７は方法を含み、該方法は、ユーザ装置（ＵＥ）が、受信信号強度インジケータ（ＲＳＳＩ）を測定するステップと、前記ＵＥの処理回路が、測定されたＲＳＳＩに基づき基準信号受信品質（ＲＳＲＱ）測定値を決定するステップと、一以上の確定されたＲＳＲＱ報告値が−３ｄＢを越えるＲＳＲＱ測定値に対応する拡張ＲＳＲＱ報告レンジを含むＲＳＲＱ測定報告マッピング方式により前記ＲＳＲＱ測定値をＲＳＲＱ報告値にマッピングするステップとを含む。
【０１０３】
例５８は、例５７に記載の方法であって、前記ＲＳＲＱ測定報告マッピング方式は、−３ｄＢを越え、２．５ｄＢ以下である可能性のある各ＲＳＲＱ測定値の、対応するＲＳＲＱ報告値を指定する。
【０１０４】
例５９は、例５７に記載の方法であって、前記改良ＲＳＲＱ測定報告マッピング方式は、複数のＲＳＲＱ測定値サブレンジと複数のＲＳＲＱ報告値とを規定し、前記複数のＲＳＲＱ報告値の各々は、前記複数のＲＳＲＱ測定値サブレンジの１つに対応する。
【０１０５】
例６０は、例５９に記載の方法であって、前記ＲＳＲＱ測定報告マッピング方式は、ＲＳＲＱ測定値を０．５ｄＢの解像度でＲＳＲＱ報告値にマッピングする。
【０１０６】
例６１は、例５７に記載の方法であって、測定されたＲＳＳＩはサブフレームのＲＳＳＩを含み、決定されたＲＳＲＱ測定値は前記サブフレームのＲＳＲＱ測定値を含む。
【０１０７】
例６２は、例６１に記載の方法であって、前記サブフレームのすべてのＯＦＤＭシンボルにわたるＲＳＳＩを測定するステップを含む。
【０１０８】
例６３は、例５７に記載の方法であって、測定帯域幅のＲＳＳＩを測定するステップを含む。
【０１０９】
例６４は、例５７に記載の方法であって、前記ＲＳＲＱ報告値を示す情報要素（ＩＥ）を含むＭｅａｓｕｒｅｍｅｎｔＲｅｐｏｒｔを送信するステップを含む。
【０１１０】
例６５は、命令セットを含む少なくとも１つの非一時的コンピュータ読み取り可能記憶媒体であって、前記命令セットは、計算デバイスにおいて実行されると、前記計算装置に、例５７ないし６４いずれか一項に記載の方法を実行させる。
【０１１１】
例６６は、例５７ないし６４いずれか一項に記載の方法を実行する手段を有する装置である。
【０１１２】
例６７はシステムであって、該システムは、例６６に記載の装置と、一以上の無線周波数（ＲＦ）トランシーバと、一以上のＲＦアンテナとを含む。
【０１１３】
例６８は、例６７のシステムであって、タッチスクリーンディスプレイを含む。
【０１１４】
実施例６９は装置であり、該装置は、少なくとも一部はハードウェアであるロジックであって、測定された受信信号強度インジケータ（ＲＳＳＩ）に基づいて基準信号受信品質（ＲＳＲＱ）測定値を決定し、ＲＳＲＱ測定報告マッピング方式の複数のＲＳＲＱ測定値サブレンジから、前記ＲＳＲＱ測定値を含むＲＳＲＱ測定値サブレンジを特定し、前記複数のＲＳＲＱ測定値サブレンジは−３ｄＢより大きいＲＳＲＱ測定値に対応する一以上のサブレンジを含み、前記ＲＳＲＱ測定報告マッピング方式は前記ＲＳＲＱ測定値サブレンジの、対応するＲＳＲＱ報告値を指定し、特定されたＲＳＲＱ測定値サブレンジに対応するＲＳＲＱ報告値を特定するロジックを含む。
【０１１５】
例７０は、例６９の装置であって、前記ロジックは、特定されたＲＳＲＱ報告値を含む無線リソース制御（ＲＲＣ）報告メッセージを生成する。
【０１１６】
例７１は、例６９の装置であって、前記ＲＳＲＱ測定報告マッピング方式は、０．５ｄＢの粒度で、前記複数のＲＳＲＱ測定値サブレンジを確定する。
【０１１７】
例７２は、例６９の装置であって、前記ＲＳＲＱ測定報告マッピング方式は、拡張ＲＳＲＱ報告レンジを実装する。
【０１１８】
例７３は、例６９の装置であって、前記複数のＲＳＲＱ測定値サブレンジは、−３ｄＢから２．５ｄＢまでのレンジのＲＳＲＱ測定値に集合的に対応するＲＳＲＱ測定値サブレンジを含む。
【０１１９】
例７４は、例６９の装置であって、前記ロジックは、前記ＲＳＳＩを測定するサブフレームの前記ＲＳＲＱ測定値を決定する。
【０１２０】
例７５は、例７４の装置であって、前記ロジックは前記サブフレーム中のすべてのＯＦＤＭシンボルにわたるＲＳＳＩを測定する。
【０１２１】
例７６は、例６９の装置であって、前記ロジックは、前記ＲＳＳＩを測定する帯域幅の前記ＲＳＲＱ測定値を決定する。
【０１２２】
例７７はシステムであって、該システムは、例６９ないし７６いずれか一項に記載の装置と、一以上の無線周波数（ＲＦ）トランシーバと、一以上のＲＦアンテナとを含む。
【０１２３】
例７８は、例７７のシステムであって、タッチスクリーンディスプレイを含む。
【０１２４】
実施例７９は方法を含み、該方法は、ユーザ装置（ＵＥ）が、サブフレームの受信信号強度インジケータ（ＲＳＳＩ）を測定するステップと、前記ＵＥの処理回路が、前記サブフレームの、測定されたＲＳＳＩに基づき、前記サブフレームの基準信号受信品質（ＲＳＲＱ）測定値を決定するステップと、一以上の確定されたＲＳＲＱ報告値が−３ｄＢから２．５ｄＢのレンジのＲＳＲＱ測定値に集合的に対応する拡張ＲＳＲＱ報告レンジを含むＲＳＲＱ測定報告マッピング方式に基づき、前記ＲＳＲＱ測定値をＲＳＲＱ報告値にマッピングするステップとを含む。
【０１２５】
例８０は、例７９に記載の方法であって、ゼロトラフィック負荷に関連するリソース要素（ＲＥ）パワーアロケーションパターンにより、前記サブフレームのＲＳＳＩを測定するステップを含む。
【０１２６】
例８１は、例７９に記載の方法であって、前記ＲＳＲＱ報告値を含む情報要素（ＩＥ）を含む無線リソース制御（ＲＲＣ）メッセージを生成するステップを含む。
【０１２７】
例８２は、例７９に記載の方法であって、前記ＲＳＲＱ測定報告マッピング方式は、ＲＳＲＱ測定値を０．５ｄＢの粒度でＲＳＲＱ報告値にマッピングする。
【０１２８】
例８３は、例７９に記載の方法であって、前記サブフレームのすべてのＯＦＤＭシンボルに渡り前記サブフレームのＲＳＳＩを測定するステップを含む。
【０１２９】
例８４は、例７９に記載の方法であって、測定帯域幅のＲＳＳＩを測定するステップを含む。
【０１３０】
例８５は、例７９に記載の方法であって、前記改良ＲＳＲＱ測定報告マッピング方式は、複数のＲＳＲＱ測定値サブレンジと複数のＲＳＲＱ報告値とを規定し、前記複数のＲＳＲＱ報告値の各々は、前記複数のＲＳＲＱ測定値サブレンジの１つに対応する。
【０１３１】
例８６は、例８５に記載の方法であって、前記ＲＳＲＱ測定値を含むＲＳＲＱ測定値サブレンジを特定し、特定されたＲＳＲＱ測定値サブレンジに対応するＲＳＲＱ報告値として前記ＲＳＲＱ報告値を特定するステップを含む。
【０１３２】
例８７は、命令セットを含む少なくとも１つの非一時的コンピュータ読み取り可能記憶媒体であって、前記命令セットは、計算デバイスにおいて実行されると、前記計算装置に、例７９ないし８６いずれか一項に記載の方法を実行させる。
【０１３３】
例８８は、例７９ないし８６いずれか一項に記載の方法を実行する手段を有する装置である。
【０１３４】
例８９はシステムであって、該システムは、例８８に記載の装置と、一以上の無線周波数（ＲＦ）トランシーバと、一以上のＲＦアンテナとを含む。
【０１３５】
例９０は、例８９のシステムであって、タッチスクリーンディスプレイを含む。
【０１３６】
実施形態をよく理解してもらうため具体的な詳細を説明した。しかし、当業者には言うまでもなく、これらの実施形態はこれらの具体的な詳細がなくても実施することができる。他の場合には、周知の動作、コンポーネント、回路は実施形態を分かりにくくしないように、詳細には説明していない。言うまでもなく、ここに開示した詳細な構造や機能は代表的なものであり、必ずしも実施形態の範囲を限定するものではない。
【０１３７】
一部の実施形態では、「結合された」や「接続された」またはこれらの派生形を用いて説明した。これらの用語は互いに同意語として用いていない。例えば、一部の実施形態は「接続」及び／又は「結合」という用語を用いて説明し、複数の要素が互いに物理的または電気的に直接的に接触していることを示している。しかし、「結合」という用語は、複数の要素が互いに直接接触してないが、互いに協働または相互作用することを示している。
【０１３８】
特に断らなければ、言うまでもなく、「処理」、「算出」、「計算」、「判断」等の用語は、コンピュータ、コンピューティングシステム、類似の電子的計算機器の動作やプロセスであって、コンピューティングシステムのレジスタやメモリ内の物理的（電子的）量として表されたデータを操作し、コンピューティングシステムのメモリやレジスタ、その他の情報記憶装置、伝送機器、表示機器内の物理量として同様に表された他のデータに変換するものを指す。実施形態はこれに限定されない。留意点として、ここに説明の方法は、説明した順序で、又は特定のどんな順序で実行されなくてもよい。さらにまた、ここに特定した方法に関して説明した様々なアクティビティは、順次的に又は並行して実行することができる。
【０１３９】
ここでは具体的な実施形態を例示して説明したが、言うまでもなく、同じ目的を達成するものと考えられる任意の構成で、説明した実施形態に置き換えてもよい。本開示は、様々な実施形態の任意かつすべての適応又はバリエーションをカバーするものであることを意図している。言うまでもなく、上記の説明は例示であって限定ではない。本技術分野の当業者には、上記の説明を読めば、上記の実施形態及びここでは具体的に説明していないその他の実施形態の組み合わせが明らかである。よって、様々な実施形態の範囲は、上記の構成、構造、及び方法が用いられる他の任意の応用を含む。
【０１４０】
強調しておくが、要約は、読者にこの技術的開示の本質を素早く理解してもらうことを要求する３７Ｃ．Ｆ．Ｒ．§１．７２（ｂ）に準拠して設けられたものである。請求項の範囲や意味を解釈したり限定したりするためには使用されないとの理解に基づき提出するものである。また、上記の詳細な説明では、開示を簡明にする目的で、いろいろな特徴を１つの実施形態としてグループ化したことが分かる。この開示方法を、請求項に記載した実施形態が各請求項で明示的に記載した以上の特徴を要求することを反映していると解釈してはならない。さらに、以下の請求項が反映しているように、発明の主題は上記開示した１つの実施形態の一部特徴にある。よって、以下に記載する請求項は詳細な説明に組み込まれ、各請求項がそれぞれ別々の好ましい実施形態を構成する。添付の特許請求の範囲において、「含む（ｉｎｃｌｕｄｉｎｇ）」及び「において（ｉｎ  ｗｈｉｃｈ）」との用語は、それぞれ「ｃｏｍｐｒｉｓｉｎｇ」及び「ｗｈｅｒｅｉｎ」という用語のプレインイングリッシュの同意語として用いられている。さらに、「ｆｉｒｓｔ」、「ｓｅｃｏｎｄ」、「ｔｈｉｒｄ」などの用語は、単にラベルとして用いられており、その対象に数字的な要件を課すことを意図していない。
【０１４１】
本主題を個別の構造的特徴及び／又は方法動作を用いて説明したが、言うまでもなく、添付した特許請求の範囲に規定する主題は、上記の特定の特徴や動作には必ずしも限定されない。上記の特定の特徴や動作は、請求項を実施する形式例を開示するものである。
【図１】
0006408138.tif 000002
【図２】
0006408138.tif 000003
【図３】
0006408138.tif 000004
【図４】
0006408138.tif 000005
【図５】
0006408138.tif 000006
【図６】
0006408138.tif 000007
【図７】
0006408138.tif 000008
【図８】
0006408138.tif 000009
【図９】
0006408138.tif 000010